(57)【要約】【課題】  ラインヘッドの副走査方向への移動を安定して行なわせることができるラインヘッド駆動部を備えたプリンタを提供すること。【解決手段】  リードスクリュー１６１ａと同じ側に配設される第２のガイドシャフト１６１２ａを支持する一端側の壁１０ａに外側に膨らんだ突部１０ｈを形成する。別体となる支持部材１０ｇにその突部１０ｈが嵌め込まれる凹部１００ｇと、その突部１０ｈが嵌め込まれたことにより位置決めされる凸部１０１ｇとを設ける。枠体の壁１０ａにリードシャフト１６１ａを回転自在に支える軸受け部１０ｃを設けて、突部１０ｈにより位置決めされた支持部材１０ｇの凸部１０１ｇでリードシャフト１６１ａの一端側端面を押す。さらにリードシャフトの他端側からバネ部材１６２１ａにより凸部側へバネ付勢を行なってリードシャフト１６１ａを弾性的に支える。【選択図】  図６
2005107119.tif 000002
【特許請求の範囲】
【請求項１】
記録媒体が装填される媒体装填室を有し、該媒体装填室に装填された記録媒体に画像データに応じた画像を記録し、画像が記録された記録媒体を外部に送り出すプリンタにおいて、
前記媒体装填室に装填された記録媒体上に向き合う位置に配備されて所定の主走査方向に延び、該主走査方向に交わる副走査方向への駆動を受けながら記録媒体に画像データに応じた画像を記録するラインヘッドと、
前記ラインヘッドを副走査方向に駆動させるラインヘッド駆動装置と、
前記媒体装填室の副操作方向両端に立設した壁を有し該媒体装填室を画定する枠体とを具備し、
前記ラインヘッド駆動装置が、
前記ラインヘッドの一端側に配備された副走査方向に延びるリードスクリューと、
前記リードスクリューの一端側に配備され該リードスクリューを回転させるモータと、
前記ラインヘッドの、前記リードスクリューが配設された側の端部に固定され、前記リードスクリューに弾性的に押接して該リードスクリューの駆動力を該ラインヘッドに伝送するヘッドキーと、
前記ラインヘッドを間に挟んだ、前記リードスクリューとは反対側に配設されて前記副走査方向に延び、前記リードスクリューによる駆動を受けて移動するラインヘッドを案内する第１のガイドシャフトと、
前記リードスクリューの前記一端側に配備され該リードスクリューを他端側に向けて弾性的に付勢するバネ部材とを備え、
前記枠体が、
前記リードスクリューの前記一端側および前記他端側それぞれが挿入され、該リードスクリューを回転自在に支持する軸受け部と、
前記第１のガイドシャフトの両端を支持する第１の支持部とを有し、
さらに、前記ｌｉｎｅヘッド駆動装置が、前記枠体とは別体の部材であるとともに該枠体に固着され、前記リードスクリューの前記他端側端面に当接して該端面を支える支持部材を備えたことを特徴とするプリンタ。
【請求項２】
前記リードスクリューの前記他端側を支える軸受け部が形成された壁の、該軸受け部近傍に外側に膨らんだ突部を有し、
前記支持部材は、該突部が嵌入して該支持部材を位置決めする凹部と、前記リードスクリューの前記他端側端面に当接する凸部とを有するものであることを特徴とする請求項１記載のプリンタ。
【請求項３】
前記ラインヘッド駆動装置が、さらに、前記ラインヘッドに対し、前記リードスクリューが配設された側と同一の側に配設され、該リードスクリューによる駆動を受けて移動するラインヘッドを案内する第２のガイドシャフトを備え、
前記枠体が、さらに前記第２のガイドシャフトの両端を支持する第２の支持部を有し、該第２の支持部の、前記リードリードスクリューの前記他端側を支持する部分が前記突部を形成していることを特徴とする請求項２記載のプリンタ。
【発明の詳細な説明】
【技術分野】
【０００１】
本発明は、記録媒体が装填される媒体装填室を有し、その媒体装填室に装填された記録媒体に画像データに応じた画像を記録し、画像が記録された記録媒体を外部に送り出すプリンタに関する。
【背景技術】
【０００２】
画像データに基づいて被写体像を記録媒体上に記録するプリンタがある。このようなプリンタには、一方向に配列されたラインヘッドが配備され、このラインヘッドをラインヘッドの主走査方向と交わる副走査方向に移動させることによって記録媒体に記録が行なわれる。このようなラインヘッドの主走査方向の各位置での露光量の差が生じると、濃度にむらがでるので、これを抑制する技術が開示されている（例えば特許文献１参照）。
【０００３】
ところで、このラインヘッドを副走査方向に移動させる機構として代表的なものにリードスクリューを用いたものがある。このリードスクリューを用いて副走査方向にラインヘッドを移動させる場合には、ラインヘッドを挟んでリードスクリューとは反対の側にガイドシャフトや案内レールを設けることが多い。このようにするとラインヘッドの上下方向の姿勢が安定して副走査方向に案内される。しかし、ラインヘッドをリードスクリューに係合させる部分が、リードスクリューの螺旋状の溝に係合しながらラインヘッドが動くため、ラインヘッドとリードスクリューとの係合部が螺旋状の溝に沿って螺旋状にフリコ運動をしてしまい、そのフリコ運動がラインヘッドに伝わってしまう。そうするとラインヘッドが脈動して画像全体に濃度むらが発生してしまう。そこでガイドシャフト側の規制を強くしてこのフリコ運動を軽減しようとすることが考えられるが、そうすると摺動抵抗が大きくなり、ついには動かなくなる可能性が高い。
【特許文献１】特開平２０００−２８０５２７号公報
【発明の開示】
【発明が解決しようとする課題】
【０００４】
本発明は、上記事情に鑑み、ラインヘッドの脈動を抑制してラインヘッドを安定して案内することができるラインヘッド駆動部を備えたプリンタを提供することを目的とする。
【課題を解決するための手段】
【０００５】
上記目的を達成する本発明のプリンタは、記録媒体が装填される媒体装填室を有し、その媒体装填室に装填された記録媒体に画像データに応じた画像を記録し、画像が記録された記録媒体を外部に送り出すプリンタにおいて、
上記媒体装填室に装填された記録媒体上に向き合う位置に配備されて所定の主走査方向に延び、その主走査方向に交わる副走査方向への駆動を受けながら記録媒体に画像データに応じた画像を記録するラインヘッドと、
上記ラインヘッドを副走査方向に駆動させるラインヘッド駆動装置と、
上記媒体装填室の副走査方向両端に立設した壁を有しその媒体装填室を画定する枠体とを具備し、
上記ラインヘッド駆動装置が、
上記ラインヘッドの一端側に配備された副走査方向に延びるリードスクリューと、
上記リードスクリューの一端側に配備されそのリードスクリューを回転させるモータと、
上記ラインヘッドの、上記リードスクリューが配設された側の端部に固定され、上記リードスクリューに弾性的に押接してそのリードスクリューの駆動力をそのラインヘッドに伝送するヘッドキーと、
上記ラインヘッドを間に挟んだ、上記リードスクリューとは反対側に配設されて上記副走査方向に延び、上記リードスクリューによる駆動を受けて移動するラインヘッドを案内する第１のガイドシャフトと、
上記リードスクリューの上記一端側に配備されそのリードスクリューを他端側に向けて弾性的に付勢するバネ部材とを備え、
上記枠体が、
上記リードスクリューの上記一端側および上記他端側それぞれが挿入され、そのリードスクリューを回転自在に支持する軸受け部と、
上記第１のガイドシャフトの両端を支持する第１の支持部とを有し、
さらに枠体とは別体の部材であるとともにその枠体に固着され上記リードスクリューの上記他端側端面に当接してその端面を支える支持部材を備えたことを特徴とする。
【０００６】
このように上記バネ部材により上記一端側からリードスクリューを弾性的に付勢してさらに上記支持部材をリードスクリューの他端側端面に当接させてリードスクリューを支えると、リードスクリューのスラスト方向のがたを抑えつつ、弾性的にリードスクリューを支えることができる。また、上記リードスクリューに対しそのリードスクリューとは反対の側に配設された第１のガイドシャフトによってラインヘッドの回転方向の変動（フリコ運動）が抑制され、その結果、ラインヘッドの脈動が抑制される。
【０００７】
また、上記リードスクリューの上記他端側を支える軸受け部が形成された壁の、その軸受け部近傍に外側に膨らんだ突部を有し、上記支持部材はその突部が嵌入してその支持部材を位置決めする凹部と、上記リードスクリューの上記他端側端面に当接する凸部とを有するものであることが好ましい。
【０００８】
このような構成にすると、突部を凹部に嵌入することで別体の支持部材の位置決めを行うことができ、さらに軸受け部に挿入されたリードスクリューの他端側端面に凸部を確実に当接させることができる。
【０００９】
上記ラインヘッド装置が、さらに、
上記ラインヘッドに対し、上記リードスクリューが配設された側と同一の側に配設され、そのリードスクリューによる駆動を受けて移動するラインヘッドを案内する第２のガイドシャフトを備え、
上記枠体が、さらに上記第２のガイドシャフトの両端を支持する第２の支持部を有し、その第２の支持部の、上記リードスクリューの上記他端側を支持する部分が上記突部を形成していることが好ましい。
【００１０】
このようにすることで、リードスクリューに近い位置に配設された上記第２のガイドシャフトによりラインヘッドのフリコ運動がより一層防止される。さらにその第２のガイドシャフトの両端を支持する上記第２の支持部の、リードスクリューの他端側を支持する支持部が突部を形成することから、第２のガイドシャフトを基準にして上記リードスクリューの位置が定まり、第２のガイドシャフトによる脈動防止効果がより一層顕著に得られる。
【発明の効果】
【００１１】
上記本発明のプリンタによれば、ラインヘッドの副走査方向への移動を安定して行なわせることができるラインヘッド駆動部を備えたプリンタが実現される。
【発明を実施するための最良の形態】
【００１２】
以下、本発明の実施形態を説明する。
【００１３】
図１は本発明の実施形態であるプリンタを、斜め前方から見た斜視図である。
【００１４】
本実施形態のプリンタの構成を、図１を参照して説明する。
【００１５】
このプリンタ１は可搬型であって携帯電話とこのプリンタ双方を手に持って画像の記録を行なうことが可能な程度の小型かつ軽量の構造を有するものである。このプリンタ１の筐体１ａ内にインスタントフィルムパックが装填され、そのインスタントフィルムパック内の、積層された多数のインスタントフィルムシート一枚一枚に画像の記録が行なわれる。
【００１６】
プリンタ１の筐体１ａの上面には、このプリンタ１の電源の投入および遮断を指示する電源スイッチ（以下電源ＳＷという）１１やプリントスイッチ（以下プリントＳＷという）１２やプリントデータ補正スイッチ（以下プリントデータ補正ＳＷという）１３が設けられている。また、中央には、ＬＣＤパネル１４が設けられており、このＬＣＤパネル１４上にインスタンフィルムシートの残り枚数やプリントデータ補正ＳＷ１３の内容が表示される。また、前述した赤外線通信により送信されてきた画像データを受信する受光素子１５が携帯電話をこのプリンタに対向させ易い位置、ここでは筐体１ａの端部に配備されている。なお、この図１には図示してはいないが、このプリンタ１はＵＳＢポートも持っている。
【００１７】
プリントＳＷ１２は、記録媒体への画像の記録が終了した後、その記録が終了した画像と同じ画像を再記録する場合に操作されるものである。また、プリントデータ補正ＳＷ１３は、記録媒体に記録される画像の濃淡（Ｄａｒｋｅｎ  ｏｒ  Ｌｉｇｈｔｅｎ）を調節するためのスイッチであり、このプリントデータ補正ＳＷ１３がＤａｒｋｅｎ側に切り換えられるとその画像データに基づく画像の全体のトーンがやや暗くなった画像がインスタントフィルムシート上に記録され、Ｌｉｇｈｔｅｎ側に切り換えられると全体のトーンがやや明るくなった画像がインスタントフィルムシート上に記録される。このプリントデータ補正ＳＷ１３が操作された後、ユーザによってプリントＳＷ１２が操作されると、同じ構図の写真でありながら異なった趣の写真が得られる。
【００１８】
図２は後述するラインヘッドによってそのインスタントフィルムシート上に潜像の記録が行なわれた後、そのインスタンフィルム１００１上の潜像が顕像化されながら、このプリンタの排出口からインスタントフィルム１００１が排出されているときの状態を示す図である。
【００１９】
このプリンタでは、赤外線通信、またはＵＳＢ通信により外部から送信されてきた画像データをこのプリンタにより取得したら、その取得した画像データに基づく潜像の記録が露光によりインスタントフィルム上に行なわれ、図２に示すようにその潜像が記録されたインスタントフィルム１００１が顕像化されながら、プリンタ１外部へ排出される。その後プリントＳＷ１２が操作されたときにも、その画像と同じ画像の再記録が別のインスタントフィルム上に行なわれ、図２に示すようにインスタントフィルム１００１が排出される。
【００２０】
図３は、このプリンタ１の下面を斜め上方から見た斜視図である。
【００２１】
このプリンタ１の下面側にはフィルムパック１００を装填するためのフィルムドア１０１ａが設けられており、このフィルムドア１０１ａが開けられ、フィルムパック１０００がフィルム装填室１００ａに装填される。このフィルム装填室１００ａが本発明にいう媒体装填室に当たる。
【００２２】
また、このプリンタ１の電源となる電池１ｂが装填される電池装填室もそのフィルム装填室１００ａの隣にある。この電池装填室にもドアが設けられており、そのドアが開けられ、電池１ｂが装填される。
【００２３】
フィルムドアの内側１０１ａにはバネ部材１０１１ａ，１０１２ａが２つ設けられており、これらのバネ部材１０１１ａ，１０１２ａによってフィルムパック１０００内に積層されたインスタントフィルムシート１００１がプリンタ１上面側に押されるようになっている。このような構成によってそのインスタントフィルムパック１０００内のインスタントフィルムシートのうち、プリンタの一番上面側にあるインスタントフィルムシート１００１が排出口１１ａに近い位置にまで押し上げられ、その位置に押し上げられたインスタントフィルムシート上に焦点のあった光点が露光により多数記録される。
【００２４】
このようなプリンタ１の内部構成を説明する。
【００２５】
図４は、このプリンタ１の上面側のカバーを外してプリンタ内部を見た図である。
【００２６】
図４に示すように、媒体装填室に装填されたき記録媒体上に向き合う位置に配備されて所定の主走査方向に延び、その主走査方向に交わる副走査方向への駆動を受けながら記録媒体に画像データに応じた画像を記録するラインヘッドと、そのラインヘッドを副走査方向に駆動させるラインヘッド駆動装置とが配備されている。
【００２７】
このラインヘッド駆動装置により駆動されるラインヘッド１６にはフラットケーブル１７０が接続されており、このフラットケーブル１７０を介して後述する印刷制御部から画像データに応じた制御信号が供給される。この制御信号はラインヘッド１６内の後述する液晶シャッタアレイの各シャッタのシャッタスピードを制御するものである。この各液晶シャッタのシャッタスピードが画像データに応じて制御され、ＲＧＢそれぞれに対応する光がインスタントフィルム上に照射され、インスタントフィルムの幅方向に４８０個の光点（ドット）からなる潜像が記録される。以降の説明においてはこの幅方向つまり一次元的に各シャッタが配列されている方向を、主走査方向という。したがってこの各シャッタが主走査方向に電子的に走査されて１ライン分の４８０の光点がインスタントフィルムシート１００１上に記録される。このラインヘッド１６の電子走査によってインスタントフィルム１００１の主走査方向に４８０ドットからなる光点が記録されたら、後述する印刷制御部からの制御信号に基づいて、モータ１６２ａが駆動されてリードスクリュー１６１ａが所定の角度回転して、今度はその主走査方向と交わる方向にラインヘッド１６によって４８０ドットずつ光点が順次記録されていく。以降の説明ではこの主走査方向と交わる方向を副走査方向という。この副走査方向には、ラインヘッドの１回の主走査で記録される光点４８０ドット分を１ラインとしてヘッド駆動装置によりラインヘッドが副走査方向に駆動され、６４０ラインの光点がインスタンフィルム全体に渡って記録される。
【００２８】
この光点の集まりによって画像を表わす潜像が記録されたら、展開ローラ１７によりインスタントフィルムシート１００１を挟み込んでインスタントフィルム内の現像剤をインスタントフィルムシート１００１全体に展開させ、潜像を顕像化させプリンタ外部へと送り出す。このインスタントフィルムシート１００１は自己現像処理型感光材料であり、インスタントフィルム１００１が展開ローラ１７で挟み込まれるとインスタントフィルム内に充填されていた現像剤がインスタントフィルムシート全体に均一に展開され、フィルムシート上の潜像が顕像化されるものである。このようにヘッドキーと、そのヘッドキーに螺合するリードスクリューとを備えるヘッド駆動装置によってラインヘッドが副走査方向に駆動され、インスタントフィルム上に潜像が記録される。
【００２９】
ここでラインヘッド１６の構成を、図５を参照して説明しておく。
【００３０】
図５はラインヘッドの構成を示す模式図である。
【００３１】
この図５には導光板１６４の端部に配設された発光素子１６３Ｒ，１６３Ｇ，１６３Ｂの配列順序と、インスタントフィルムシート上に光点となって照射されるＲ、Ｇ、Ｂの光の進行方向が矢印によって模式的に示されている。
【００３２】
図５に示すように、このラインヘッド１６は光の３原色であるＲ，Ｇ，Ｂそれぞれの発光素子１６３Ｒ，１６３Ｇ，１６３Ｂと、導光板１６４と、前述した液晶シャッタアレイ１６５と、レンズ１６６とからなる。
【００３３】
ここでは発光素子アレイを用いずに、発光素子それぞれから発光された光を導光板により線状の光に変換して、インスタントフィルムに照射させている。この線状の光を４８０のシャッタを持つ液晶シャッタアレイによりインスタントフィルム上の記録密度に対応する複数の光束に分解して、セルフォックレンズによって各光を光点としてインスタントフィルム上にそれぞれ収束させている。この導光板内の光の伝送特性については、補正テーブルを設けて補正し、主走査方向に濃度のむらがでないようにしている。
【００３４】
図５の模式図を参照して、インスタントフィルムへの光の照射がどのように行なわれるかを説明する。
【００３５】
図５に示すように、３原色の発光素子１６３Ｒ，１６３Ｇ，１６３Ｂそれぞれが導光板１６４の端部に配設されており、それらの発光素子で発光された光がその導光板１６４によってインスタントフィルム１００１側に導かれる。
【００３６】
この導光板１６４によって線状光となった光がインスタントフィルムシート１００１側に導かれ、インスタントフィルムシート１００１上に照射される。この照射された光は液晶シャッタアレイ１６５の各シャッタを通って４８０の光束に分解され、その先にあるセルフォックレンズ（登録商標）１６６を通ってインスタンフィルム１００１まで達する。このように液晶シャッタアレイ１６５の各シャッタによって光量が調節された光束が、セルフォックレンズによってインスタントフィルム上に収束されて焦点のあった光点がインスタントフィルム上に多数記録される。ここでは４８０素子の液晶シャッタアレイを用いて画像データに応じて各シャッタのシャッタスピードを制御することで画像データに応じた階調を持つ４８０の光点がインスタントフィルム上に記録される。これが副走査方向にも６４０ライン分記録され、４８０×６４０（ＶＧＡサイズ）の光点がインスタントフィルム上に潜像として記録される。この潜像は、Ｒ，Ｇ，Ｂの３色の光をレンズ１６６によって同一の光点に記録させたカラー画像を表わす潜像である。
【００３７】
ここでこのラインヘッド１６を駆動するヘッド駆動装置１６０の構成を図４から抜き出して詳細に説明する。
【００３８】
図６はヘッド駆動装置１６０の構成を示す図である。図４とは左右逆になっているが、構成は同じである。
【００３９】
図６に示すように、媒体装填室１００ａに装填されたインスタントフィルムシート１００１上に向き合う位置に配備されて所定の主走査方向に延び、その主走査方向に交わる副走査方向への駆動を受けながらインスタントフィルム１００１に画像データに応じた画像を記録するラインヘッド１６と、そのラインヘッド１６を副走査方向に駆動させるラインヘッド駆動装置と、媒体装填室１００ａの副操作方向両端に立設した壁１０ａ，１０ｂを有しその媒体装填室１００ａを画定する枠体１０とが備えられている。ラインヘッド駆動装置は、ラインヘッド１６の一端側に配備された副走査方向に延びるリードスクリュー１６１ａと、リードスクリュー１６１ａの一端側に配備されそのリードスクリュー１６１ａを回転させるモータ１６２ａと、ラインヘッド１６１ａの、リードスクリュー１６１ａが配設された側の端部に固定され、リードスクリュー１６１ａに弾性的に押接してそのリードスクリュー１６１ａの駆動力をそのラインヘッド１６に伝送するヘッドキー１６１と、ラインヘッド１６を間に挟んだ、リードスクリュー１６１ａとは反対側に配設されて副走査方向に延び、リードスクリュー１６１ａによる駆動を受けて移動するラインヘッド１６を案内する第１のガイドシャフト１６１１ａと、リードスクリュー１６１ａの一端側に配備されそのリードスクリュー１６１ａを他端側に向けて弾性的に付勢するバネ部材１６２１ａとを備えたものであって、枠体１０が、リードスクリュー１６１ａの一端側および他端側それぞれが挿入され、リードスクリュー１６１ａを回転自在に支持する軸受け部１０ｃ，１０ｄと、第１のガイドシャフト１６１１ａの両端を支持する第１の支持部１０ｅ、１０ｆとを有し、さらに枠体１０とは別体の部材であるとともにその枠体１０に固着されリードスクリュー１６１ａの他端側端面に当接してその端面を支える支持部材１０ｇを備えたものである。
【００４０】
また、リードスクリュー１６１ａの他端側を支える軸受け部１０ｃが形成された壁１０ａの、その軸受け部１０ｃ近傍に外側に膨らんだ突部１０ｈを有し、支持部材１０ｇはその突部１０ｈが嵌入してその支持部材１０ｇを位置決めする凹部１００ｇと、リードスクリュー１６１ａの他端側端面に当接する凸部１０１ｇとを有する。さらに、ラインヘッド駆動装置が、ラインヘッド１６に対し、リードスクリュー１６が配設された側と同一の側に配設され、そのリードスクリュー１６１ａによる駆動を受けて移動するラインヘッド１６を案内する第２のガイドシャフト１６１２ａを備え、枠体１０が、さらに第２のガイドシャフト１６１２ａの両端を支持する第２の支持部１０ｉ，１０ｊを有し、第２の支持部の、リードスクリュー１６１ａの他端側を支持する部分が外側に膨らんだ突部１０ｈを形成している。
【００４１】
ここで図６を上方から見た図を示して構成を説明する。
【００４２】
図７は図６に示すヘッド駆動装置を上方から見た図である。
【００４３】
図６に示すように枠体の壁が外側に膨らんだ突部１０ｈが支持部材１０ｇの凹部１００ｇに嵌め込まれて位置決めされて、支持部材１０ｇの凸部１０１ｇが壁１０ａの軸受け部１０ｃを貫通してリードスクリュー１６１をバネ部材１６２１ａ側に押し上げている。
【００４４】
ここで、別体の部材で構成される支持部材１０ｇの構造を、図８を参照して説明する。
【００４５】
図８は支持部材１０ｇの構造を示す図である。
【００４６】
図８（ａ）は正面図、図８（ｂ）は側面部、図８（ｃ）は上面図である。図８（ｄ）には、正面図に示す支持部材を中央Ａ―Ａ´で切断したＡＡ´断面図も示してある。
【００４７】
図８（ｄ）の正面中央をＡ―Ａ´に沿って切断して側法か見た断面図に示すように、この支持部材１０Ａは凹部１００ｇと凸部１０１ｇとを有している。凹部１００ｇを形成するため、凹部１００ｇ側の肉厚が厚くなっている。凸部１０１ｇは、その凹部１００ｇと所定の間隔を開けて形成されている。
【００４８】
このような断面を有する支持部材１０ｇの端面１０２ｇは、図７（ｂ）に示すように壁面に接するように平らになっており、この平らな端面１０２ｇが壁１０ａの壁面に固着される。このとき、この端面１０２ｇ側に形成されている凹部１００ｇが壁１０ａ側の突部１０ｋを受け入れることによって凸部１０１ｇが精度良く位置決めされてその凸部１０１ｇの先端でリードシャフト１６１ａの他端側の端面を押すようになっている。
【００４９】
ここで、その凸部１０１ｇによりバネ部材１６２１ａ側に押し上げられるリードシャフト１６１ａと、そのリードシャフト１６１ａの他端側を付勢するバネ部材１６２１ａと、ラインヘッド１６をガイドするもう１本のガイドシャフト１６１１ａの位置関係を示し、構造を説明する。
【００５０】
図９はリードシャフト１６１ａと第１のガイドシャフト１６１１ａとラインヘッド１６と支持部材１０ｇを抜粋して係わりを示した図であり、図９はリードスクリュー１６１ａと支持部材１０ｇとの係わりを示す拡大図である。また、図１０はバネ部材１６２１ａの部分を拡大した拡大図である。
【００５１】
図９〜図１１に示すように、リードシャフト１６１ａの一端側を付勢するためのＬ字型の板バネ１６２１ａが配設されており、そのＬ字形の板バネ１６２１ａには図１１に示すようにこの板バネ１６２１ａを媒体装填室１００ａの底面に固定する固定部１６２１ｂと、この板バネ１６２１ａの位置を決めるための位置決め部１６２１ｃが延設されている。その固定部１６２１ｂには孔１６２１１ｂが設けられており、位置決め部１６２１ｃが壁面に接するように配設された後その孔１６２１１ｂを通してネジが挿入されてそのネジにより板バネ１６２１ａが媒体装填室１００ａ底面に固定される。このようにすることで板バネ１６２１ａによりリードスクリューの一端側が精度良く付勢される。
【００５２】
さらに、支持部材１０ｇの凹部１００ｇにより位置決めされた凸部１０１ｇがリードシャフト１６１ａをバネ部材１６２１ａ側に押し上げることでバネ部材１６２１ａ側からの付勢力と押し上げ力とが相互に作用しあってリードシャフト１６１ａがスラスト方向に弾力性を持って支持される。このようにすると第２シャフト１６１２ａ側の軸受け部１０ｃ近傍にある突部１０ｈに嵌め込まれた凹部１００ｇにより凸部が位置決めされて第２のガイドシャフト１６１２ａとリードシャフト１６１ａとの平行度が保たれ、そのリードスクリュー１６１ａと第１のガイドシャフト１６１１ａによりラインヘッド１６の姿勢が水平に保たれてラインヘッド１６が支持される。そうすると、第２のガイドシャフト１６１２ａとヘッドキー１６１によってラディアル方向のがたが吸収され、さらにリードスクリュー１６１ａを支持しているバネ部材１６２１ａによってスラスト方向のがたが吸収される。
【００５３】
このようにすることで、ラインヘッド１６の脈動が抑制されてラインヘッドの姿勢が精度よく保たれたままインスタントフィルムに対してラインヘッドによりむらのない露光が行なわれる。
【００５４】
以上説明したように、ラインヘッドの脈動が防止され、ラインヘッドの脈動による露光むらが改善される。
【図面の簡単な説明】
【００５５】
【図１】本発明の実施形態であるプリンタを斜め上方から見た斜視図である。
【図２】プリンタ内部に装填されたインスタントフィルムがプリンタ外部に排出されるときの状態を示す図である。
【図３】本発明の実施形態であるプリンタの下面を斜め上方から見た斜視図である。
【図４】図１のプリンタの上面カバーを取り外し、前方斜め上方からそのプリンタ内部を見た図である。
【図５】光学ヘッドの構成を示す模式図である。
【図６】図４に示したヘッド駆動装置の構成を示す図である。
【図７】図６のヘッド駆動装置を上方から見た図である。
【図８】図は支持部材の構造を示す図である。
【図９】リードシャフトと第１のガイドシャフトと支持部材を抜粋して係わりを示した図である。
【図１０】リードスクリューと支持部材との係わりを示す拡大図である。
【図１１】バネ部材の部分を拡大した拡大図である。
【符号の説明】
【００５６】
１  プリンタ
１ａ  筐体
１０    枠体
１０ａ  １０ｂ    壁
１０ｃ  １０ｄ  軸受け部
１０ｅ  １０ｆ  支持部
１０ｇ  支持部材
１００ｇ    凹部
１０１ｇ    凸部
１０ｈ    突部
１ｂ  電池
１０１ａ    フィルムドア
１０１１ａ  １０１２ａ    バネ部材
１００ａ    フィルム装填室
１０００  インスタントフィルムパック
１００１    インスタントフィルムシート
１１    電源ＳＷ
１２    プリントＳＷ
１３    プリントデータ補正ＳＷ
１４    ＬＣＤパネル
１５    受光部
１６    光学ヘッド
１６１    ヘッドキー
１６１３    ネジ部
１６１４    板バネ
１６１ａ    リードスクリュー
１６１１ａ    第１のガイドシャフト
１６１２ａ    第２のガイドシャフト
１６２ａ    ステッピングモータ
１６２１ａ    ステッピングモータドライバ
１６２２ａ    板バネ
１６３Ｒ  １６３Ｇ  １６３Ｂ    発光素子
１６４    導光板
１６５    液晶シャッタアレイ
１６６    セルフォックレンズ（登録商標）
１７    展開モータ
１７ｂ    展開ローラ
【図１】
2005107119.tif 000003
【図２】
2005107119.tif 000004
【図３】
2005107119.tif 000005
【図４】
2005107119.tif 000006
【図５】
2005107119.tif 000007
【図６】
2005107119.tif 000008
【図７】
2005107119.tif 000009
【図８】
2005107119.tif 000010
【図９】
2005107119.tif 000011
【図１０】
2005107119.tif 000012
【図１１】
2005107119.tif 000013